(57)【要約】  本発明は、駆動軸の制動装置に係り、該装置は、駆動軸に結合されて前記駆動軸の回転につれて回転し、十字状の末端部を有する一つ以上の係止片が形成されたブレーキリングと、ロボットの関節の内部に固定される支持フレームと、前記支持フレームに形成されたブレーキ軸を中心として回転可能であり、前記ブレーキリングに形成された係止片の十字状の末端部との物理的な干渉により前記駆動軸の回転を止めるための係止突起が形成されたブレーキウィングと、前記ブレーキウィングを回転させて前記係止突起の位置を移動するための位置調整部と、前記ブレーキウィングの回転に弾性力を加えるための弾性部材と、を備える。
2021521019.tif 000002
【特許請求の範囲】
【請求項１】
ロボットの関節に用いられる駆動軸のための制動装置において、
駆動軸に結合されて前記駆動軸の回転につれて回転し、十字状の末端部を有する一つ以上の係止片が形成されたブレーキリングと、
ロボットの関節の内部に固定される支持フレームと、
前記支持フレームに形成されたブレーキ軸を中心として回転可能であり、前記ブレーキリングに形成された係止片の十字状の末端部との物理的な干渉により前記駆動軸の回転を止めるための係止突起が形成されたブレーキウィングと、
前記ブレーキウィングを回転させて前記係止突起の位置を移動するための位置調整部と、
前記ブレーキウィングの回転に弾性力を加えるための弾性部材と、
を備えることを特徴とする駆動軸の制動装置。
【請求項２】
前記ブレーキリングは、前記駆動軸と軸結合された胴体から放射状に突出した複数の前記係止片を備えることを特徴とする請求項１に記載の駆動軸の制動装置。
【請求項３】
前記係止突起は、前記ブレーキウィングの回転により前記十字状の末端部の回転半径の内部に位置する第１の位置と、前記十字状の末端部の回転半径の外部に位置する第２の位置との間を移動し、
前記係止突起が前記第１の位置に移動する場合、前記十字状の末端部との物理的な干渉により前記駆動軸の回転が止められることを特徴とする請求項１に記載の駆動軸の制動装置。
【請求項４】
前記ブレーキリングに形成された二つの前記係止片にそれぞれ対応するように両側に二つの前記ブレーキウィングが配備され、
前記二つのブレーキウィングにそれぞれ形成された二つの前記係止突起がそれぞれ前記第１の位置に移動して、前記係止突起の位置に見合う両方向の制動遊びを有することを特徴とする請求項３に記載の駆動軸の制動装置。
【請求項５】
前記位置調整部は、入力電流の有無又は方向に応じて前記ブレーキウィングを回転させて、前記係止突起を前記第１及び第２の位置のどちらか一方に移動させるためのソレノイドを備えることを特徴とする請求項３に記載の駆動軸の制動装置。
【請求項６】
前記ブレーキウィングは、一方の側が前記ブレーキ軸に連結され、他方の側が前記ソレノイドにより移動させられる可動部材に触れ、前記一方の側と前記他方の側との間に前記係止突起が形成されることを特徴とする請求項５に記載の駆動軸の制動装置。
【請求項７】
前記ソレノイドへの入力電流を制御するための制御部をさらに備えることを特徴とする請求項５に記載の駆動軸の制動装置。
【請求項８】
前記弾性部材は、一方の端が前記ブレーキウィング側に固定され、他方の端が前記支持フレーム側に固定されたバネから構成されることを特徴とする請求項１に記載の駆動軸の制動装置。
【発明の詳細な説明】
【技術分野】
【０００１】
本発明は、ロボットの関節などに用いられる駆動軸のための制動装置ブレーキ装置に関する。
【背景技術】
【０００２】
最近のロボット技術の発達には目を見張るものがあり、これに伴い、産業ロボットの他にも、人間に代えて様々な作業が行える知能型ロボットへのニーズが台頭し始めており、知能型ロボットへの取り組みが盛んに行われている。
【０００３】
知能型ロボットを開発するためには、機械、電子など伝統技術とともに、新素材、半導体、人工知能、センサソフトウェアなどの先端技術が求められ、知能型ロボットは、既存の産業用ロボットとは異なり、将来の市場で求める機能と性能をもったロボットであるといえる。
【０００４】
一方、産業用ロボット及びサービス用ロボットなどが開発されて色々な分野において用途に合わせて用いられており、単純作業から高度の作業に至るまで正確に且つ速やかに行うことができてその使用が益々増えている。
【０００５】
このように、様々な産業及びサービス分野に用いられるロボットの関節モジュールは、モータ、モータを安定的に駆動するためのトルクセンサ、制動装置などを備え、制動装置は、移動する物体の加減速を制御したり、作動を止める際にロボットアームの位置を保ったりするために欠かせないものとなっている。
【０００６】
従来の制動装置は、摩擦方式のブレーキパッドを用いて物体に対する制動動作を行って、制動動作が必要とされる物体にブレーキパットを機械的に押し当て、このときに生じる摩擦力を用いて物体に対する制動動作を行う。
【０００７】
しかしながら、上記のごとき従来の摩擦方式の制動装置は、制動を行う最中に滑るといったスリップ現象が起こるため、比較的に正確に停止力を調節する必要がある部分、例えば、ロボットの関節などに用いるには限界がある。
【先行技術文献】
【特許文献】
【０００８】
【特許文献１】大韓民国公開特許第１０−２０１３−００１８５９９号公報（２０１３年２月２５日付け公開）
【発明の概要】
【発明が解決しようとする課題】
【０００９】
本発明は、上述した不都合を解決するために案出されたものであり、その目的は、ロボットの関節に用いて好適であり、しかも、制動性能が向上した構造を有する駆動軸の制動装置を提供することである。
【課題を解決するための手段】
【００１０】
本発明の一実施形態に係る駆動軸の制動装置は、ロボットの関節に用いられる駆動軸のための制動装置であって、駆動軸に結合されて前記駆動軸の回転につれて回転し、十字状の末端部を有する一つ以上の係止片が形成されたブレーキリングと、ロボットの関節の内部に固定される支持フレームと、前記支持フレームに形成されたブレーキ軸を中心として回転可能であり、前記ブレーキリングに形成された係止片の十字状の末端部との物理的な干渉により前記駆動軸の回転を止めるための係止突起が形成されたブレーキウィングと、前記ブレーキウィングを回転させて前記係止突起の位置を移動するための位置調整部と、前記ブレーキウィングの回転に弾性力を加えるための弾性部材と、を備える。
【００１１】
前記ブレーキリングは、前記駆動軸と軸結合された胴体から放射状に突出した複数の前記係止片を備え、前記係止突起は、前記ブレーキウィングの回転により前記十字状の末端部の回転半径の内部に位置する第１の位置と、前記十字状の末端部の回転半径の外部に位置する第２の位置との間を移動する。
【００１２】
一方、前記係止突起が前記第１の位置に移動する場合、前記十字状の末端部との物理的な干渉により前記駆動軸の回転が止められる。
【００１３】
そして、前記位置調整部は、入力電流の有無又は方向に応じて前記ブレーキウィングを回転させて、前記係止突起を前記第１及び第２の位置のどちらか一方に移動させるためのソレノイドを備える。
【発明の効果】
【００１４】
本発明の一実施形態によれば、駆動軸に軸結合されるブレーキリングに十字状の末端部を有する一つ以上の係止片を形成し、ロボットの関節に固定された支持フレームのブレーキ軸を中心として回転するブレーキウィングに係止突起を形成して係止片の十字状の末端部との物理的な干渉により駆動軸の回転を止めることにより、小さな遊びをもって両方向に制動可能な制動装置を実現することができる。
【図面の簡単な説明】
【００１５】
【図１】本発明の一実施形態に係る駆動軸の制動装置を備えるロボットの関節の構成を示す斜視図である。
【図２】本発明に係る駆動軸の制動装置の構成に対する一実施形態を示す図である。
【図３】本発明に係る駆動軸の制動装置の構成に対する一実施形態を示す図である。
【図４】本発明の一実施形態に係る駆動軸の制動装置の動作を説明するための図である。
【図５】本発明の一実施形態に係る駆動軸の制動装置の動作を説明するための図である。
【図６】本発明の一実施形態に係る駆動軸の制動装置に配備されるブレーキリングとブレーキウィングの構成を示す図である。
【図７】本発明の一実施形態に係る駆動軸の制動装置の遊びガタを説明するための図である。
【発明を実施するための形態】
【００１６】
以下の内容は、単に本発明の原理を例示する。このため、当業者であれば、たとえ本明細書に明確に説明されたり図示されたりしてはいないとしても、本発明の原理を実現し、本発明の概念と範囲に含まれる様々な装置を発明することができる筈である。なお、本明細書に列挙されたすべての条件付き用語及び実施形態は、原則として、本発明の概念が理解されるようにするための目的のみが明らかに意図され、このように特別に列挙された実施形態及び状態に制限的ではないものと理解されるべきである。
【００１７】
また、本発明の原理、観点及び実施形態だけではなく、特定の実施形態を列挙するすべての詳細な説明は、このような事項の構造的及び機能的な均等物を含むことが意図されるものと理解されるべきである。なお、これらの均等物は、現在公知となっている均等物だけではなく、将来に開発されるべき均等物、すなわち、構造とは無関係に、同一の機能を行うように発明されたあらゆる素子を網羅するものと理解されるべきである。
【００１８】
よって、例えば、本明細書のブロック図は、本発明の原理を具体化させる例示的な回路の概念的な観点を示すものと理解されるべきである。これと同様に、すべてのフローチャート、状態変換図、疑似コードなどは、コンピュータにて読み取り可能な媒体に実質的に示すことができ、コンピュータまたはプロセッサが明らかに示されているかどうかを問わずに、コンピュータまたはプロセッサにより行われるプロセスを示すものと理解されるべきである。
【００１９】
プロセッサまたはこれと略同一の概念として表示されている機能ブロックを含む図面に示されている様々な素子の機能は、専用ハードウェアだけではなく、適切なソフトウェアと関わってソフトウェアを起動する能力をもったハードウェアの使用によって提供され得る。プロセッサにより提供されるとき、前記機能は、単一の専用プロセッサ、単一の共有プロセッサまたは複数の個別のプロセッサにより提供可能であり、これらの一部は共有され得る。
【００２０】
上述した目的、特長点は、添付図面と結び付けて行われる以下の詳細な説明からなお一層明らかになる筈であり、これにより、本発明が属する技術分野において通常の知識を有する者が本発明の技術的な思想を容易に実施できる筈である。なお、本発明について説明するにあたって、本発明と関わる公知の技術についての具体的な説明が本発明の要旨を余計に曖昧にする虞があると認められる場合にはその詳細な説明を省略する。
【００２１】
以下、添付図面に基づいて、本発明に係る好適な実施形態について詳しく説明する。
【００２２】
図１は、本発明の一実施形態に係る駆動軸の制動装置を備えるロボットの関節の構成を示す斜視図である。
【００２３】
図１を参照すると、本発明の一実施形態に係る制動装置１００は、ロボットの関節１０の内部において減速機及びエンコーダとともにモータの駆動軸１５に軸結合されて、モータを止める際に、正確な位置において関節１０の回転が止められて保たれるようにするための装置であってもよい。
【００２４】
例えば、関節１０は、協同ロボット、産業用ロボット、ヒューマノイドロボット、ロボットマニピュレータ（ｍａｎｉｐｕｌａｔｏｒ）など種々のロボットに配備されてもよいが、本発明は、これに何ら限定されるものではなく、ロボットの他に、種々の装置の駆動軸に軸結合されるブレーキメカニズムとして利用可能である。
【００２５】
図１に示すように、ロボットの関節１０は、ハウジング１１の内部に駆動軸１５及びそれと軸結合される制動装置１００が配備されてもよい。
【００２６】
本発明の一実施形態によれば、ロボットの関節１０の駆動軸１５に軸結合されるブレーキリングに十字状の末端部を有する一つ以上の係止片を形成し、ロボットの関節１０に固定された支持フレームのブレーキ軸を中心として回転するブレーキウィングに係止突起を形成して係止片の十字状の末端部との物理的な干渉により駆動軸の回転を止めることにより、小さな遊びをもって両方向に制動可能な制動装置を実現することができる。
【００２７】
以下、図２から図６に基づいて、本発明に係る駆動軸の制動装置１００の構成及び動作に対する実施形態について詳しく説明する。
【００２８】
図２及び図３は、本発明に係る駆動軸の制動装置の構成に対する一実施形態を示すものであり、制動装置１００は、ブレーキリング１１０と、支持フレーム１２０と、ブレーキウィング１３０と、位置調整部１４０及び弾性部材１５０を備えていてもよい。
【００２９】
図２及び図３を参照すると、ブレーキリング１１０は、駆動軸１５に結合されて駆動軸１５の回転につれて回転し、十字状の末端部を有する一つ以上の係止片１１５が形成されあてもよい。
【００３０】
例えば、ブレーキリング１００は、図３に示すように、駆動軸１５と軸結合された胴体から放射状に突出した四つの係止片１１５を備え、係止片１１５のそれぞれの末端部に十字状と略同一の形状を有していてもよい。
【００３１】
支持フレーム１２０は、ロボットの関節１０の内部に固定され、例えば、図１に示すように、ロボットの関節１０のハウジング１１に別途の連結部材と締付部材とを用いて結合されて固定されてもよい。
【００３２】
一方、ブレーキウィング１３０は、支持フレーム１２０に形成されたブレーキ軸１２５を中心として回転可能であり、ブレーキリング１１０に形成された係止片１１５の十字状の末端部との物理的な干渉により駆動軸１５の回転を止めるための係止突起１３５が形成されてもよい。
【００３３】
位置調整部１４０は、ブレーキウィング１３０を回転させ、ブレーキウィング１３０の回転につれて係止突起１３５が移動してブレーキリング１１０に形成された係止片１１５の十字状の末端部との物理的な干渉が調整されてもよい。
【００３４】
例えば、ブレーキウィング１３０は、図３に示すように、制動装置１００の両側にそれぞれ一つずつ配備され、それぞれのブレーキウィング１３０は、制動装置１００の両側にそれぞれ配備された位置調整部１４０により回転させられてもよい。
【００３５】
一方、係止突起１３５は、位置調整部１４０によるブレーキウィング１３０の回転につれてブレーキリング１１０に形成された係止片１１５の十字状の末端部の回転半径の内部に位置する第１の位置と、十字状の末端部の回転半径の外部に位置する第２の位置との間を移動することができる。
【００３６】
係止突起１３５が第１の位置に移動する場合、ブレーキリング１１０に形成された係止片１１５の十字状の末端部との物理的な干渉により駆動軸１５の回転が止められ、係止突起１３５が第２の位置に移動する場合、十字状の末端部との物理的な干渉が生じないことから、駆動軸１５の回転に影響を及ぼさないことができる。
【００３７】
ここで、位置調整部１４０は、入力電流の有無又は方向に応じてブレーキウィング１３０を回転させて係止突起１３５を第１及び第２の位置のどちらか一方に移動させるためのソレノイドを備えていてもよい。
【００３８】
この場合、本発明の一実施形態に係る制動装置１００には、ソレノイドへの入力電流を制御するための制御部（図示せず）がさらに配設されていてもよい。
【００３９】
また、弾性部材１５０は、ブレーキウィング１３０の回転に弾性力を加える役割を果たしてもよい。
【００４０】
例えば、弾性部材１５０は、図２に示すように、一方の端がブレーキウィング１３０側に固定され、他方の端が支持フレーム１２０側に固定されたバネから構成されてもよい。
【００４１】
図４及び図５は、本発明の一実施形態に係る駆動軸の制動装置の動作を説明するために示すものであり、以下、同図に示す制動装置１００の動作のうち、図１から図３に基づいて説明した内容と同じ内容についての説明は省略する。
【００４２】
図４及び図５を参照すると、ブレーキウィング１３０は、一方の側が支持フレーム１２０のブレーキ軸１２５に連結され、他方の側の接触部１３７がソレノイドにより移動させられる可動部材１４５に触れ、一方の側と他方の側との間に係止突起１３５が形成された構造を有していてもよい。
【００４３】
図４は、ブレーキリング１１０に形成された係止片１１５の十字状の末端部とブレーキウィング１３０の係止突起１３５とが互いに物理的な干渉を引き起こさない場合を示すものである。
【００４４】
図４を参照すると、位置調整部１４０に配備されたソレノイドがオン（ＯＮ）になると、可動部材１４５がブレーキウィング１３０に向かって移動してそれに触れているブレーキウィング１３０の接触部１３７を押してブレーキウィング１３０を回転させることができる。
【００４５】
前述したように、ブレーキウィング１３０が回転させられると、係止突起１３５がブレーキリング１１０に形成された係止片１１５の十字状の末端部の回転半径Ｒの外に移動し、これにつれて、ブレーキウィング１３０は、ブレーキリング１１０の回転に干渉しなくなって、動軸１５が回転自在となる。
【００４６】
一方、ブレーキウィング１３０の回転により、ブレーキウィング１３０に連結された弾性部材であるトーションバネが巻かれて弾性力を有することが可能になる。
【００４７】
図５は、ブレーキリング１１０に形成された係止片１１５の十字状の末端部とブレーキウィング１３０の係止突起１３５とが互いに物理的な干渉を引き起こす場合を示すものである。
【００４８】
一方、図５を参照すると、位置調整部１４０に配備されたソレノイドがオフ（ＯＦＦ）になると、ブレーキウィング１３０に連結されたトーションバネの弾性力によりブレーキウィング１３０が回転させられて元の位置に戻ることができる。
【００４９】
前述したように、ブレーキウィング１３０が回転させられて元の位置に戻ると、係止突起１３５がブレーキリング１１０に形成された係止片１１５の十字状の末端部の回転半径Ｒの内に移動し、これにより、ブレーキウィング１３０は、ブレーキリング１１０の回転に干渉して駆動軸１５の回転が止められる。
【００５０】
一方、ソレノイドは、位置調整部１４０の内部に埋め込まれて電流の印加有無に応じていずれか一つの方向の磁束を倍加又は減衰させることができる。
【００５１】
例えば、ソレノイドの内部に配備される永久磁石とコイルの配置に応じて、いずれか一つの方向に形成される磁束が倍加されたり、他の方向に形成される磁束が減衰されたりして、前述したように、可動部材１４５を移動させてブレーキウィング１３０が回転させられるようにしてもよい。
【００５２】
一方、位置調整部１４０にラッチタイプのソレノイドが配備される場合、モータが駆動されたり制動されたりするとき、一回の電流の印加だけでも磁束の変化が保たれるので、電流を印加し続けることが不要になる。
【００５３】
以上においては、位置調整部１４０に配備されたソレノイドがオン（ＯＮ）になる場合、ブレーキリング１１０とブレーキウィング１３０との間の物理的な干渉が解除され、ソレノイドがオフ（ＯＦＦ）になる場合、ブレーキリング１１０とブレーキウィング１３０との間の物理的な干渉が生じて駆動軸１５の回転が止められることを例にとって本発明の一実施形態について説明したが、本発明は、これに何ら限定されるものではなく、ブレーキウィング１３０は、これに加えて、様々な方式により回転させられてブレーキリング１１０との物理的な干渉が調整され得る。
【００５４】
図５に示すように、ブレーキリング１１０に形成された係止片１１５の十字状の末端部とブレーキウィング１３０の係止突起１３５との間の物理的な干渉により駆動軸１５の回転が止められると、駆動軸１５の両方向への回転が両方とも止められた状態に保たれ得る。
【００５５】
図６を参照すると、ブレーキウィング１３０には十字状の四つの係止突起１１５が配備されて、回転する駆動軸１５の位置及び回転方向を問わずに、最大で４５°内においてブレーキがロックすることができる。
【００５６】
例えば、時計回り方向に駆動軸１５が回転しているとき、十字状の係止突起１１５の間にブレーキウィング１３０が位置する瞬間にソレノイドがオフになって、ブレーキウィングが回転半径の内に入ってくる場合には右側のブレーキウィング１３０が係止突起１１５に引っ掛かるまでは左側のブレーキウィングは係止突起１３５が押し出して回転し、最大で４５°内の角度で回転してブレーキがロックすることができる。
【００５７】
ブレーキウィング１３０に形成された係止突起１３５の凸状の部分がブレーキリング１１０に形成された係止片１１５の十字状の末端部の凹状の部分に当接して引っ掛かる場合、ブレーキリング１１０の時計回り方向への回転と反時計回り方向への回転とが両方とも防止可能になる。
【００５８】
そのために、ブレーキウィング１３０に形成された係止突起１３５の大きさ、形状、角度などと、ブレーキリング１１０に形成された係止片１１５の十字状の末端部の大きさ、形状、角度などは、図６に示すように、互いに整合されて設定されることが好ましい。
【００５９】
例えば、ブレーキリング１１０に形成された係止片１１５の十字状の末端部の凹状の部分とブレーキウィングが触れる部分の角度は、接触部位において最外郭に接線方向を基準として９０°よりも小さく形成され、これにより、たとえ駆動軸１５が回転したとしても、ブレーキウィング１３０と係止片１１５とが接続されたときに駆動軸１５の回転力によりブレーキウィング１３０が外に押されて抜け出すことなく、係止片１１５側にさらに入ってくる力を受けてブレーキウィング１３０が係止片１１５から係脱しないことができる。
【００６０】
一方、図７に示すように、制動装置１００は、ブレーキリング１１０に形成された二つの係止片１１５、１１６にそれぞれ対応するように両側に二つのブレーキウィング１３０、１３１が配備され、二つのブレーキウィング１３０、１３１にそれぞれ形成された二つの係止突起１３５、１３６がそれぞれ係止片１１５、１１６の回転半径内である第１の位置に移動して、ブレーキリング１１０が軸結合された駆動軸１５の回転が止められる。
【００６１】
この場合、本発明の一実施形態に係る制動装置１００は、係止突起１３５、１３６の位置に見合う両方向の制動遊びを有していてもよい。
【００６２】
すなわち、ブレーキウィング１３０、１３１が取り付けられる位置は、ブレーキリング１１０の両係止片１１５、１１６が９時、３時の方向に整列された状態で、それぞれの係止突起１３５、１３６が係止片１１５、１１６と当接する位置よりもわずかに高く位置するように設定されてもよい。
【００６３】
これにより、ブレーキリング１１０は、時計回り方向に一定の角度α１に見合う分だけ回転可能な遊びを有し、反時計回り方向にも一定の角度α１に見合う分だけ回転可能な遊びを有して、一定の角度α１の２倍に相当する角度α２に見合う分だけ両方向に遊びを有することができる。
【００６４】
例えば、ブレーキリング１１０は、時計回り方向及び反時計回り方向にそれぞれ約０．６°の回転可能な遊びを有して、約１.２°の両方向の遊びを有することができ、そのために、当該遊び角度に見合うようにブレーキウィング１３０、１３１又は係止突起１３５、１３６の位置が定められる。
【００６５】
一方、図６に示すように、弾性部材１５０であるトーションバネの一方の端は、ブレーキウィング１３０の係止突起１３５の部分に形成された嵌合孔を通って折り曲げられた状態で固定されてもよい。
【００６６】
以上、本発明の好適な実施形態について図示して説明したが、本発明は、上述した実施形態に何等限定されるものではなく、特許請求の範囲において請求する本発明の要旨を逸脱することなく、当該本発明が属する分野において通常の知識を有する者により様々な変形実施が行えることはもとより、これらの変形実施は、本発明の技術的思想や見通しから個別的に理解されてはならない。
【符号の説明】
【００６７】
１０  ロボットの関節
１１  関節ハウジング
１５  駆動軸
１００  制動装置
１１０  ブレーキリング
１１５  係止片
１２０  支持フレーム
１２５  ブレーキ軸
１３０  ブレーキウィング
１３５  係止突起
１３７  接触部
１４０  位置調整部
１４５  可動部材
１５０  弾性部材
【図１】
2021521019.tif 000003
【図２】
2021521019.tif 000004
【図３】
2021521019.tif 000005
【図４】
2021521019.tif 000006
【図５】
2021521019.tif 000007
【図６】
2021521019.tif 000008
【図７】
2021521019.tif 000009
【国際調査報告】
2021521019.tif 000010
2021521019.tif 000011
2021521019.tif 000012
2021521019.tif 000013